(57)【要約】【課題】チップをカートリッジに固定するに当たって、チップ固定手段を中間に使用し、このチップ固定手段の結合部にエア循環通路を形成することで、筆記具の使用時エア循環通路の露出が防止されて美観に優れ、異物の流入が防止されて常に円滑なエアの供給を維持して筆記不良を防止することができる出没式筆記具を提供する。【解決手段】押し操作によって作動するノック部が設けられ、中空の内部にはカートリッジが挿設される胴体ケースと、前記カートリッジの端部にチップを収容して設けられるチップ固定手段を含む。【選択図】図２
2018126962.tif 000002
【特許請求の範囲】
【請求項１】
押し操作によって作動するノック部が設けられ、中空の内部にはカートリッジが挿設される胴体ケースと、前記カートリッジの端部にチップを収容して設けられるチップ固定手段を含む出没式筆記具であって、
前記チップ固定手段は、中空の円筒状を有し、前記カートリッジに挿入結合されるように直径が減少して形成された結合部を有し、
前記結合部は軸方向に切開されて形成されて外部に連通されるエア循環通路を有することを特徴とする出没式筆記具。
【請求項２】
少なくとも一つ以上のエア循環通路が前記結合部に形成されることを特徴とする請求項１に記載の出没式筆記具。
【請求項３】
前記結合部には直径が減少する段付き溝が形成され、前記カートリッジの内側端部には前記段付き溝が位置してその離脱を阻止するように段付き部がさらに形成され、
前記結合部の外径は前記段付き部の内径よりも大きく形成されることを特徴とする請求項１に記載の出没式筆記具。
【発明の詳細な説明】
【技術分野】
【０００１】
本発明は出没式筆記具に関するもので、より詳細には筆記具から出没するチップを筆記具の使用時のみに突出させ、非使用時にはチップを筆記具の内部に位置させるボールペン、蛍光ペン、ローラペン、ボードマーカーペン、油性マーカーペン、サインペン、プラスチックペン、マーキングペンなどを含む出没式筆記具に関するものである。
【背景技術】
【０００２】
一般的に、筆記具は記録媒体を使用してその表面に情報を記録できるものであって、ボールペン、蛍光ペン、ローラペン、ボードマーカーペン、油性マーカーペン、サインペン、プラスチックペン、マーキングペンなどのその形態及びその方法が多様である。このような種類の筆記具は、円筒状の胴体を備えており、胴体にはチップが収容されると共に、チップを押すことができるように押し部材が設けられる出没式筆記具が大部分である。
【０００３】
図１は一般的な出没式筆記具の斜視図である。
【０００４】
図１に示すように、先端開口１２が一端に形成された胴体ケース１０と、チップ５０を突出および没入させるようにケースに結合されたノック部２０とクリップ部３０が設けられ、図に示されなかったが、胴体ケース１０の内部にはスプリングと共にカートリッジ４０が挿入されており、このカートリッジ４０の一端部にはチップ５０が設けられる。
【０００５】
そして、先端開口１２からチップ５０と共に突出するカートリッジ４０の端部側にはエア通路４２が形成されている。
【０００６】
しかし、図１に示すように、チップ５０の突出時にエア通路４２が外部に突出して美観が低下し、特に突出したエア通路４２に異物などが挟まって円滑なエアの供給が行われていない真空が発生する恐れがあり、これによって、円滑なエアの供給が行われないため、カートリッジ４０に収容されたインキが正常に供給されず、筆記不良などが発生する問題点がある。
【０００７】
本発明に関連する先行文献としては特許文献１に記載されたボールペンの通気孔構造がある。
【先行技術文献】
【特許文献】
【０００８】
【特許文献１】韓国登録実用新案第２０−０４３８７０７号公報
【発明の概要】
【発明が解決しようとする課題】
【０００９】
本発明は前述のような従来の問題点を解決するためになされたものであって、チップをカートリッジに固定するに当たって、チップ固定手段を中間に使用し、このチップ固定手段の結合部にエア循環通路を形成することで、筆記具の使用時エア循環通路の露出が防止されて美観に優れ、異物の流入が防止されて常に円滑なエアの供給を維持するので、筆記不良を防止することができる出没式筆記具を提供することにその目的がある。
【００１０】
また、本発明の他の目的は、胴体ケースとカートリッジに汎用的に使用できるチップ固定手段を中間に使用することにより、様々な形態や種類のチップを使用することが可能であり、製造コストを低減することができる出没式筆記具を提供することにある。
【課題を解決するための手段】
【００１１】
前述した目的を達成するための本発明に係る出没式筆記具は、押し操作によって作動するノック部が設けられ、中空の内部にはカートリッジが挿設される胴体ケースと、前記カートリッジの端部にチップを収容して設けられるチップ固定手段を含むことができる。
【００１２】
好ましい前記チップ固定手段は、中空の円筒状を有し、前記カートリッジに挿入結合されるように直径が減少して形成された結合部を有し、前記結合部は軸方向に切開されて形成されて外部に連通されるエア循環通路を有する。
【００１３】
また、少なくとも一つ以上のエア循環通路が前記結合部に形成されることができる。
【００１４】
さらに、前記結合部には直径が減少する段付き溝が形成され、前記カートリッジの内側端部には前記段付き溝が位置してその離脱を阻止するように段付き部がさらに形成され、前記結合部の外径は前記段付き部の内径よりも大きく形成されることができる。
【発明の効果】
【００１５】
本発明に係る出没式筆記具によれば、チップ収容したチップ固定手段を介してチップをカートリッジに結合し、このチップ固定手段の結合部にエア循環通路を形成することで、筆記具の使用時エア循環通路の露出が防止されて美観に優れ、異物の流入が防止されて常に円滑なエアの供給を維持するので、筆記不良を防止することができる効果がある。
【００１６】
さらに、胴体ケースとカートリッジに汎用的に使用できるチップ固定手段を介して様々な形態や種類のチップを使用することが可能であり、製造コストを低減することができる効果がある。
【図面の簡単な説明】
【００１７】
【図１】従来の出没式筆記具を示す斜視図である。
【図２】本発明に係る出没式筆記具を示す分離斜視図である。
【図３】本発明に係る筆記具のカートリッジとチップ固定手段を示す断面図である。
【図４】本発明に係る出没式筆記具の使用状態を示す斜視図である。
【発明を実施するための形態】
【００１８】
以下、添付した図面を参照して本発明に係る出没式筆記具の構成と作用を詳細に説明する。
【００１９】
ここで、図２は本発明に係る出没式筆記具を示す分離斜視図であり、図３は本発明に係る筆記具のカートリッジとチップ固定手段を示す断面図であり、図４は本発明に係る出没式筆記具の使用状態を示す斜視図である。
【００２０】
図２に示すように、本発明に係る出没式筆記具は大きく、胴体ケース１００と、胴体ケース１００の内部に挿設されるカートリッジ１３０と、カートリッジ１３０にチップ１６０を収容して設けられるチップ固定手段１５０を含む。
【００２１】
まず、胴体ケース１００は合成樹脂材または金属材を用いて射出成形やモールド成形方法で製作することができ、中空管またはチューブ形状を有することができる。
【００２２】
このような胴体ケース１００は一つまたは二つのケースで形成することができ、示した例においては二つのケースがネジ結合またはしまりばめされ、コーン状の一つのケース一端に先端開口１０２を形成することができる。
【００２３】
そして、胴体ケース１００の先端開口１０２側と反対側の周面上には、内部で有機的にクリップ部の固定とクリップ部の解除動作を可能に結合されたクリップ部１１０が設けられることができる。
【００２４】
また、押し操作によって胴体ケース１００の先端開口１０２を介してチップ１６０を突出および没入させるノック部１２０がクリップ部１１０に近接して設けることができる。
【００２５】
ノック部１２０はユーザの押し操作による力をカートリッジ１３０に伝達するように設けることができ、小口径の周面と大口径の周面が層をなすチューブ形状を有し、小口径側の一端が開口されており、大口径側の他端が閉鎖されている。
【００２６】
一方、胴体ケース１００の内部にスプリング１４０と共に挿設されるカートリッジ１３０はインキの収容部位に対応するものであって、所定の容量の内部体積を有することができる。
【００２７】
このようなカートリッジ１３０は直径が層をなして小さくなるように、最大直径のタンク部１３２、このタンク部１３２よりも相対的に小径の接続部１３３、この接続部１３３よりも相対的に小径のチップ延長軸筒部１３４を一体型に有している。
【００２８】
また、チップ延長軸筒部１３４の先端にはタンク部１３２から通常のインキ供給方式（例えば、毛細管現象、圧力差、吸引など）によってタンク部１３２に保管しているいかなる内容物（例えば、インキ）などを、その筆記具の種類に対応した通常の供給方式に応じて供給することができるように、チップ固定手段１５０を介してチップ１３８を固定することができる。
【００２９】
そして、チップ固定手段１５０と結合されるカートリッジ１３０の内側端部には一定の長さを有する段付き部１３６が突設されることができる。
【００３０】
そして、カートリッジ１３０と共に胴体ケース１００に挿入されるスプリング１４０はタンク部１３２の接続部１３３の段付き面に支持されるように載置することができる。
【００３１】
次に、スプリング１４０は作動時、カートリッジ１３０のストローク距離内でカートリッジ１３０を軸方向に付勢する役割をする。
【００３２】
例えば、カートリッジ１３０とノック部１２０が前進方向に所定ストローク距離ぐらい前進する場合、スプリング１４０は圧縮状態になりながら、内部には弾性エネルギーが蓄えられる。この弾性エネルギーにより付勢力の解除時には伸長しながら、スプリング１３７を元の状態に復帰させる弾性復帰力が提供される。ここで、カートリッジ１３０の所定ストローク距離は、ノック部１２０のストローク距離ないしチップ１３８が元の位置から突出する位置までの距離と同一である。また、カートリッジ１３０とノック部１２０が後進方向に復帰することができる解除状態の時に、スプリング１３７は弾性復帰力によりノック部１２０を含んでカートリッジ１３０に結合された構成要素を元の位置に復帰させる役割をする。
【００３３】
また、チップ１６０を貫通して収容するチップ固定手段１５０は、合成樹脂材または金属材を用いて射出成形やモールド成形方法で中空の円筒状に製作することができる。
【００３４】
チップ固定手段１５０の一端にはカートリッジ１３０に挿入結合されるように直径が減少する結合部１５２が一定の長さを有して一体に形成され、この結合部１５２には軸方向に沿って切開されて外部に連通されるエア循環通路１５３を形成することができる。
【００３５】
そして、少なくとも一つ以上のエア循環通路１５３を結合部１５２に形成することができるが、一対のエア循環通路を対向して形成することが好ましく、その長さは結合部１５２の全体の長さと同一であり得る。
【００３６】
また、結合部１５２には直径が減少する段付き溝１５４がさらに形成されることができ、段付き溝１５４はカートリッジ１３０の段付き部１３６に位置してその離脱が阻止できる。
【００３７】
さらに、結合部１５２の外径は段付き部の内径よりもやや大きく形成することができる。その理由は、切開されたエア循環通路１５３によってカートリッジ１３０の挿入結合時に結合部１５２が弾力的に一時縮小することができるからである。
【００３８】
以下、図３乃至図４を参照して以上のような構成を有する本発明に係る出没式筆記具の作用を説明する。
【００３９】
まず、筆記具の組立時には、胴体ケース１００の内部にカートリッジ１３０とスプリング１４０を位置させて、ノック部１２０はカートリッジ１３０の一端にしまりばめまたはネジ結合などの結合方式で締結する。
【００４０】
次に、チップ１６０を貫通させて固定したチップ固定手段１５０をカートリッジ１３０の端部側に結合する。
【００４１】
この時、チップ固定手段１５０をしまりばめ方式で押し込むと、切開されたエア循環通路１５３によって結合部１５２の直径が弾力的に縮小しながらカートリッジ１３０に挿入が行われる。挿入後には結合部１５２の段付き溝１５４がカートリッジ１３０の段付き部１３６に位置してその離脱が阻止できる。
【００４２】
同時に、結合の際ある程度その直径が縮小さした結合部１５２はチップ１６０をよりしっかりと固定して離脱を阻止することができる。
【００４３】
さらに、図３に示すように、カートリッジ１３０に結合された結合部１５２のエア循環通路１５３を介して矢印で示したエアの循環が自然に行うことができる。再び図４に示すように、筆記具の使用時にもエア循環通路１５３が外部に露出されないので、美麗な外観を有することができ、異物の流入を基本的に遮断して、常に円滑なエア循環が行われることができる。
【００４４】
そして、本発明においては、従来のようにカートリッジ１３０に直接挿設する方式ではなく、チップ固定手段１５０を介して結合することで、チップ１６０の形状や種類に関係なく、即ち、フェルトチップ、ローラーチップ、筆ペンチップ、プラスチックチップ、ニードルチップにもチップ固定手段１５０を用いて同一の一つの胴体ケース１００に組み立てることが可能である。
【産業上の利用可能性】
【００４５】
本発明に係る出没式筆記具は前述のような従来の問題点を解決するためになされたものであって、チップをカートリッジに固定するに当たって、チップ固定手段を中間に使用し、このチップ固定手段の結合部にエア循環通路を形成することで、筆記具の使用時エア循環通路の露出が防止されて美観に優れ、異物の流入が防止されて常に円滑なエアの供給を維持するので、筆記不良を防止することができる。従って、本発明の産業利用性はきわめて高いものといえる。
【００４６】
以上、好ましい実施形態と図面によって本発明を説明したが、本発明はこれらによって限定されず、本発明が属する技術分野における通常の知識を有する者によって、本発明の技術思想と特許請求の範囲の均等範囲内で多様な修正及び変形が可能であることはもちろんである。
【００４７】
例えば、図２又は４に示されるように、先端開口１０２の内側には、エア循環溝が形成されていてもよい。エア循環溝は、筒状の胴体ケース１００の内周面を軸方向に延びてエア循環通路１５３と連通する。エア循環溝とエア循環通路１５３との連通により、円滑にエアが供給される。
【００４８】
また、カートリッジ１３０の内周面にエア循環通路が形成されていてもよい。エア循環通路は、結合部１５２のエア循環通路１５３に替えて又はエア循環通路１５３に加えて、
１３４  チップ延長軸筒部１３４の内周面を軸方向に延びて形成されている。
【符号の説明】
【００４９】
１００  胴体ケース、１０２  先端開口
１１０  クリップ部、１２０  ノック部
１３０  カートリッジ、１３２  タンク部
１３３  連結部、１３４  チップ延長軸筒部
１３６  段付き部、１４０  スプリング
１５０  チップ固定手段、１５２  結合部
１５３  エア循環通路、１５４  段付き溝
１６０  チップ
【図１】
2018126962.tif 000003
【図２】
2018126962.tif 000004
【図３】
2018126962.tif 000005
【図４】
2018126962.tif 000006
【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
押し操作によって作動するノック部が設けられ、中空の内部にはカートリッジが挿設される胴体ケースと、前記カートリッジの端部にチップを収容して設けられるチップ固定手段を含む出没式筆記具であって、
前記チップ固定手段は、中空の円筒状を有し、前記カートリッジに挿入結合されるように、前記チップが出没する一端部よりも直径が減少して形成された結合部を有し、
前記結合部は軸方向に切開されて形成されて外部に連通されるエア循環通路を有することを特徴とする出没式筆記具。
【請求項２】
少なくとも一つ以上のエア循環通路が前記結合部に形成されることを特徴とする請求項１に記載の出没式筆記具。
【請求項３】
前記結合部には直径が減少する段付き溝が形成され、前記カートリッジの内側端部には前記段付き溝が位置してその離脱を阻止するように段付き部がさらに形成され、
前記結合部の外径は前記段付き部の内径よりも大きく形成されることを特徴とする請求項１に記載の出没式筆記具。